(57)【要約】【課題】縦置きエンジン４の側方に触媒装置９を配置するケースにおいて、車両の走行風によって、トランスミッション６及び触媒装置を効率良く冷却する。【解決手段】エンジン４と触媒装置９は車両幅方向に並び、触媒装置９の幅はエンジン４の幅よりも狭くなっている。エンジン４と触媒装置９の間に縦壁となるように配置された遮熱用のインシュレータ３２を備えている。インシュレータ３２は、エンジン４と触媒装置９の間を触媒装置の側面に沿って車両前後方向に延びている。インシュレータ３２の前端の少なくとも一部がエンジンルーム前面の走行風導入口に相対するようにエンジン４と触媒装置９の間から車両前方に臨んでいる。【選択図】図３
2020196371.tif 000002
【特許請求の範囲】
【請求項１】
エンジンルームが車両の前部に設けられている車両の前部構造であって、
上記エンジンルームにおいて、気筒列方向が車両前後方向に延びる姿勢で上記車両に搭載されたエンジンと、
上記エンジンの後方に配置されたトランスミッションと、
上記エンジンの排気マニホールドが存する側方に配置され、該エンジンから排出される排気ガスを浄化する触媒装置と、
上記エンジンと上記触媒装置の間に縦壁となるように配置された遮熱用のインシュレータと、
車両の走行風が上記エンジンルームに導入されるように該エンジンルームの前部に開口した走行風導入口とを備え、
上記エンジンと上記触媒装置が上記車両の幅方向に並び、且つ上記触媒装置の幅は上記エンジンの幅よりも狭くなっており、
上記インシュレータは、上記エンジンと上記触媒装置の間を該触媒装置の側面に沿って車両前後方向に延び、
上記インシュレータの前端の少なくとも一部が上記走行風導入口に相対するように上記エンジンと上記触媒装置の間から車両前方に臨んでいることを特徴とする車両の前部構造。
【請求項２】
請求項１において、
上記インシュレータは、上記走行風導入口に相対するように臨む前端に、上記エンジン側から上記触媒装置の前端面側に逸れ曲がった曲り部を備えていることを特徴とする車両の前部構造。
【請求項３】
請求項１又は請求項２において、
上記インシュレータの上方において、上記エンジンの前端部から上記触媒装置の前端部側に張り出した、上記触媒装置を上記エンジンに支持する板状ブラケットを備え、
上記板状ブラケットは、その板面が縦になった部分を備え、上記エンジンと上記触媒装置の間の一部を車両前側から塞いでいることを特徴とする車両の前部構造。
【請求項４】
請求項１乃至請求項３のいずれか一において、
上記エンジンルームに、上記エンジンの下面を下から覆うアンダーカバーを備えていることを特徴とする車両の前部構造。
【発明の詳細な説明】
【技術分野】
【０００１】
本発明は車両の前部構造に関する。
【背景技術】
【０００２】
車両の走行風を用いてエンジンルーム内のエンジン部品、その他の各種装備品の冷却を図ることは従来よりなされている。例えば、特許文献１には、ラジエータとその上方のアッパメンバの間から取り入れた走行風を排気マニホールドカバーによってターボ過給機及び触媒コンバータに導くことが記載されている。ターボ過給機及び触媒コンバータを走行風によって冷却することにより、その上方に設けられた電装品に熱害が及ぶことを抑制するというものである。
【先行技術文献】
【特許文献】
【０００３】
【特許文献１】特開２０１２−８２７８０号公報
【発明の概要】
【発明が解決しようとする課題】
【０００４】
ところで、エンジンを車両前部のエンジンルームに気筒列方向が車両前後方向に延びる縦置きの姿勢で搭載すると、トランスミッションはエンジンの後方に配置されることになる。その場合、エンジンルームに入る走行風はエンジンに遮られるから、トランスミッションには当たりにくくなる。その走行風はエンジンによって加熱されて車両後方へ流れるため、走行風によるトランスミッションの冷却が難しくなる。特に、縦置きエンジンと触媒装置が車幅方向に並ぶように、エンジンの側方に触媒装置を配置した場合、縦置きエンジンの排気マニホールド側及び触媒装置によって加熱された走行風が車両後方へ流れる。
【０００５】
その一方で、車両走行中は、触媒装置自体も、その温度が過度に上昇して触媒の劣化を招くことがないように、走行風によって冷却したいという要求がある。
【０００６】
そこで、本発明は、縦置きエンジンの側方に触媒装置を配置するケースにおいて、車両の走行風によって、トランスミッション及び触媒装置を効率良く冷却することを課題とする。
【課題を解決するための手段】
【０００７】
本発明は、上記課題を解決するために、縦置きエンジンとその側方の触媒装置の間に遮熱用のインシュレータを配置し、このインシュレータによって走行風を分流させることによってトランスミッション及び触媒装置を効率良く冷却する。
【０００８】
ここに開示するエンジンルームが車両の前部に設けられている車両の前部構造は、
上記エンジンルームにおいて、気筒列方向が車両前後方向に延びる姿勢で上記車両に搭載されたエンジンと、
上記エンジンの後方に配置されたトランスミッションと、
上記エンジンの排気マニホールドが存する側方に配置され、該エンジンから排出される排気ガスを浄化する触媒装置と、
上記エンジンと上記触媒装置の間に縦壁となるように配置された遮熱用のインシュレータと、
車両の走行風が上記エンジンルームに導入されるように該エンジンルームの前部に開口した走行風導入口とを備え、
上記エンジンと上記触媒装置が上記車両の幅方向に並び、且つ上記触媒装置の幅は上記エンジンの幅よりも狭くなっており、
上記インシュレータは、上記エンジンと上記触媒装置の間を該触媒装置の側面に沿って車両前後方向に延び、
上記インシュレータの前端の少なくとも一部が上記走行風導入口に相対するように上記エンジンと上記触媒装置の間から車両前方に臨んでいることを特徴とする。
【０００９】
この構造によれば、走行風導入口よりエンジンルームに導入されてエンジン及び触媒装置に向かう走行風は、エンジン及び触媒をその外側に迂回するようにその外周面に沿って車両後方へ流れる。エンジンと触媒装置の間にはインシュレータが縦壁となるように配置されているから、エンジン及び触媒装置の両者に向かう当該走行風はインシュレータによってエンジン側と触媒装置側に分かれる。トランスミッションはエンジンの後方に配置されているから、エンジン側に流れる走行風が主としてトランスミッションの方に流れる。
【００１０】
ここに、エンジンの幅の方が触媒装置の幅よりも広いから、インシュレータによる当該走行風の分流では、エンジン側に流れてトランスミッションに向かう走行風量が触媒装置側に流れる走行風量よりも多くなる。エンジン側に流れる走行風は、エンジンをその吸気系側に迂回して車両後方へ流れることになる。吸気系は触媒装置が設けられている排気系に比べて温度が低いから、エンジン側に流れる走行風は、温度があまり上昇せず、比較的低い状態でトランスミッションに向かう。エンジン側に流れる走行風に、触媒装置側に流れて排気系側の熱で加熱される走行風が混ざることは、インシュレータによって抑えられる。
【００１１】
このように、エンジン側に流れてトランスミッションに向かう走行風量が多くなり、しかも、その走行風の温度が比較的低いことから、トランスミッションの冷却に有利になる。その一方で、触媒装置にも、風量は少ないものの、走行風導入口から導入される温度が低い走行風が当たるから、これを冷却することができる。
【００１２】
一実施形態では、上記インシュレータは、上記走行風導入口に相対するように臨む前端に、上記エンジン側から上記触媒装置の前端面側に逸れ曲がった曲り部を備えている。
【００１３】
これにより、エンジン側に流れる走行風量を触媒装置側に流れる走行風量を多くすることができる。
【００１４】
一実施形態では、上記インシュレータの上方において、上記エンジンの前端部から上記触媒装置の前端部側に張り出した、上記触媒装置を上記エンジンに支持する板状ブラケットを備え、
上記板状ブラケットは、その板面が縦になった部分を備え、上記エンジンと上記触媒装置の間の一部を車両前側から塞いでいる。
【００１５】
エンジンと触媒装置の間を通る走行風は、エンジン及び触媒装置によって加熱されるから、温度が高くなる。これに対して、当該実施形態によれば、走行風がエンジンと触媒装置の間を抜けてトランスミッションの方に流れることが板状ブラケットによって妨げられるから、トランスミッションの冷却に有利になる。
【００１６】
一実施形態では、上記エンジンルームに、上記エンジンの下面を下から覆うアンダーカバーを備えている。これによれば、上述のエンジン側に流れる走行風が車両下方に抜けることがアンダーカバーによって抑制される。そのため、エンジン側に流れる走行風がトランスミッションの方に流れやすくなり、トランスミッションの冷却に有利になる。
【発明の効果】
【００１７】
本発明によれば、縦置きエンジンとその側方の触媒装置の間にインシュレータが縦壁となるように配置され、このインシュレータの前端の少なくとも一部がエンジンルームの走行風導入口に相対するように臨んでいるから、車両の走行風によって、触媒装置及びトランスミッションを効率良く冷却することができる。
【図面の簡単な説明】
【００１８】
【図１】車両の前部の概略側面図。
【図２】車両の前部の正面図。
【図３】エンジン及び触媒装置の正面図。
【図４】エンジン及び触媒装置の側面図。
【図５】触媒装置を含む排気系部品を除いて示すエンジンの側面図。
【図６】触媒装置を含む排気系部品を除いて示すエンジンの正面図。
【発明を実施するための形態】
【００１９】
以下、本発明を実施するための形態を図面に基づいて説明する。以下の好ましい実施形態の説明は、本質的に例示に過ぎず、本発明、その適用物或いはその用途を制限することを意図するものではない。
【００２０】
＜車両前部の概略構成＞
図１に示す車両１の前部において、２はボンネット３で覆われたエンジンルーム、４は直列多気筒エンジン、５はエンジンルーム２と車室を仕切るダッシュパネルである。エンジン４は、そのクランクシャフトと平行な気筒列方向が車両前後方向に延びる姿勢で車両１に搭載された縦置きエンジンである。エンジン４の後方にトランスミッション６が配置されている。エンジンルーム２には、エンジン４の下面を下から覆うアンダーカバー７が設けられている。
【００２１】
図２に示すように、車両１の前端部に車両１の走行風をエンジンルーム２に導入する走行風導入口８が開口している。走行風導入口８にはフロントグリル（図示省略）が取付けられる。
【００２２】
＜エンジン及びその排気系の構成＞
図３に示すように、エンジン４を車両前側から見てその側方（排気マニホールドが存する側（同図の左側））に触媒装置９がエンジン４に近接して配置されている。触媒装置９はエンジン４から排出される排気ガスを処理する。図４に示すように、触媒装置９は上流側触媒１１と下流側触媒１２を備えてなる。
【００２３】
本例の上流側触媒１１は、排気ガス中のＨＣ及びＣＯを酸化浄化する酸化触媒（ＤＯＣ）である。上流側触媒１１は、その軸心がエンジン４の上部側方、すなわち、シリンダヘッド１３の側方を該エンジン４の気筒列方向（車両前後方向）に延びており、排気ガスが車両前方に向かって流れる。エンジン４と上流側触媒１１は車両１の幅方向に並んでいる。図３から明らかなように、上流側触媒１１の幅はエンジン４の幅よりも狭くなっている。上流側触媒１１の上流端はターボ過給機１４のタービン１５の排気ガス出口に接続（直結）されている。タービン１５の排気ガス入口部１５ａは図５に示すエンジン４の２つの排気マニホールド各々の集合部１６に接続されている。２つの排気マニホールドの一方は、全気筒のうちの複数気筒から排気ガスを排出し、他方は、全気筒のうちの残りの複数気筒から排気ガスを排出する。いずれの排気マニホールドもエンジン４のシリンダヘッド１３の内部に組み込まれている。
【００２４】
本例の下流側触媒１２は、排気ガス中のパティキュレートを捕集し燃焼除去する触媒付パティキュレートフィルタ（ＤＰＦ）である。下流側触媒１２は、上流側触媒１１の下方に配置され、その軸心がエンジン４の下部側方、すなわち、シリンダブロック１７の側方を該エンジン４の気筒列方向に延びており、排気ガスが車両後方に向かって流れる。エンジン４と下流側触媒１２は車両１の幅方向に並んでいる。図３から明らかなように、下流側触媒１２の幅はエンジン４の幅よりも狭くなっている。図４に示すように、上流側触媒１１の下流端と下流側触媒１２の上流端がエンジン４の前端側において接続されている。従って、排気ガスは、上流側触媒１１を車両前方に向かって流れ、上流側触媒１１と下流側触媒１２の接続部でＵターンして、下流側触媒１２を車両後方に向かって流れる。
【００２５】
下流側触媒１２の下流端に続く排気管２１に、排気ガスの一部をエンジン４の吸気系に再循環させるＥＧＲ装置のＥＧＲクーラ２２が立設状態で接続されている。ＥＧＲクーラ２２は吸気系に再循環させる排気ガスを冷却する。ＥＧＲクーラ２２の上端に、排気ガスをターボ過給機１４のコンプレッサー２３側に導くＥＧＲ管２４が接続されている。排気管２１はフレキシブルチューブ２５を介してさらに下流側の排気管２６に接続されている。
【００２６】
＜インシュレータ及びブラケット＞
エンジン４と触媒装置９の間には遮熱用の複数のインシュレータが設けられている。すなわち、図３乃至図５に示すように、エンジン４のシリンダヘッド１３と上流側触媒１１の間に縦壁となるように上部インシュレータ３１が配置されている。また、エンジン４のシリンダブロック１７と下流側触媒１２の間に縦壁となるように下部インシュレータ３２が配置されている。
【００２７】
なお、図３乃至図６においては、インシュレータ３１，３２，３５，３６及び板状ブラケット３４については、その外形を明確にするため太線で表している。
【００２８】
上部インシュレータ３１は、シリンダヘッド１３と上流側触媒１１の間を該上流側触媒１１の側面に沿ってエンジン４の気筒列方向（車両前後方向）に延びている。上部インシュレータ３１は上流側触媒１１の略全長にわたっている。上部インシュレータ３１には、その上端から上流側触媒１１の上に張出したカバー３３が設けられている。カバー３３は上流側触媒１１を上から覆っている。
【００２９】
下部インシュレータ３２は、シリンダブロック１７と下流側触媒１２の間を該下流側触媒１２の側面に沿ってエンジン４の気筒列方向（車両前後方向）に延びる縦壁部を備えている。下部インシュレータ３２は下流側触媒１２の略全長にわたっている。下部インシュレータ３２のエンジン４の気筒列方向に延びた縦壁部のエンジン前端側の端部には、図３に示すように、エンジン４側から下流側触媒１２の前端面（車両前側の端面）側に逸れ曲がった曲り部３２ａが設けられている。曲り部３２ａは、車両前側から下流側触媒１２の前端面を一部覆うように、下部インシュレータ３２の上端から下端の範囲にわたって形成されている。図２に示すように、下部インシュレータ３２の前端の曲り部３２ａの少なくとも上部は、エンジンルーム２の走行風導入口８に相対するように臨んでいる。
【００３０】
図３に示すように、エンジン４のシリンダヘッド４の前端部には、上流側触媒１１をエンジン４に支持する板状ブラケット３４が固定されている。図５及び図６にも示すように、板状ブラケット３４は、その板面が縦になった部分３４ａをを備え、下部インシュレータ３２の曲り部３２ａの上方において、エンジン４と上流側触媒１１の間の下部を車両前側から塞いでいる。
【００３１】
図４及び図５に示すように、上流側触媒１１を間に挟んで板状ブラケット３４の反対側、つまり、車両後側には、遮熱用の２つのインシュレータ３５，３６が配置されている。すなわち、ターボ過給機１４の上半周側に後部上側インシュレータ３５が配置され、ターボ過給機１４の下半周側に後部下側インシュレータ３６が配置されている。
【００３２】
図６に示すように、後部上側インシュレータ３５は、その板面を縦にして車両幅方向に広がっていて、上流側触媒１１の上側を車両後側から覆っている。後部下側インシュレータ３６は、その板面を縦にして車両幅方向に広がった部分を有し、上流側触媒１１の下側を車両後側から覆っている。インシュレータ３５，３６はターボ過給機１４に支持されている。
【００３３】
なお、図３乃至図６において、３７はエンジン４のオイルパンである。
【００３４】
＜インシュレータ及びブラケットの効果＞
［車両走行中］
車両１の走行中は、エンジン４の稼働により高温の排気ガスが触媒装置９に流れるから、触媒装置９の冷却が必要になる。トランスミッション６についてもその作動の信頼性確保のために冷却する必要がある。
【００３５】
上記車両１の前部構造では、走行風導入口８からエンジンルーム２に導入された走行風の一部がエンジン４及び触媒装置９に向かう。その走行風は、エンジン４及び触媒装置９に遮られるため、これを外側に迂回するようにその両者の外周面に沿って車両後方へ流れる形になる。
【００３６】
ここに、エンジン４と触媒装置９の下流側触媒１２の間には、下部インシュレータ３２が両者を隔てる縦壁となるように配置され、且つ下部インシュレータ３２の前端部がその両者の間から車両前方に臨んでいる。従って、エンジン４及び下流側触媒１２の両者に対して総体的に当たるかっこうになる当該走行風は、下部インシュレータ３２によってエンジン４側と下流側触媒１２側に分かれて車両後方へ流れる。そして、トランスミッション６はエンジン４の後方に配置されているから、エンジン４側に流れる走行風が主としてトランスミッション６の方に流れる。
【００３７】
上記走行風の分流において、下流側触媒１２の幅がエンジン４の幅よりも狭いから、エンジン４側に流れてトランスミッション６に向かう走行風量が下流側触媒１２側に流れる走行風量よりも多くなる。特に、下部インシュレータ３２の前端部の曲り部３２ａが走行風の流れをエンジン４側に向けるから、エンジン４側に流れる走行風量が多くなる。
【００３８】
エンジン４側に流れる走行風は、その一部がエンジン４をその吸気系側（図２及び図３において右側）に迂回して車両後方へ流れる。吸気系は触媒装置８が設けられている排気系に比べて温度が低いから、走行風が吸気系から受ける熱量が少ない。すなわち、エンジン４側に流れる走行風は、温度があまり上昇せず、比較的低い状態でトランスミッション６に向かう。また、下流側触媒１２側に流れて排気系側の熱で加熱される走行風がエンジン４側に流れる走行風に混ざることは、下部インシュレータ３２によって抑えられる。さらに、エンジン４側に流れる走行風が車両下方に抜けることがアンダーカバー７によって抑制される。そのため、エンジン４側に流れる走行風がトランスミッション６の方に流れやすくなる。
【００３９】
このように、エンジン４側に流れてトランスミッション６に向かう走行風量が多くなり、しかも、その走行風の温度が比較的低いことから、トランスミッション６の冷却に有利になる。その一方で、下流側触媒１２にも、風量は少ないものの、走行風導入口８から導入される温度が低い走行風が当たるから、これを冷却することができる。
【００４０】
また、板状ブラケット３４がエンジン４と上流側触媒１１の隙間を車両前側から塞ぐ形で設けられているから、この隙間を抜けて車両後方に流れる走行風量が少なくなる。この隙間を抜ける走行風は、エンジン４及び上流側触媒１１で加熱されて温度が高くなるところ、その抜け量が少なくなることにより、トランスミッション６の温度の上昇が抑制される。
【００４１】
［車両の停車］
車両１が走行状態から停車すると、触媒装置９は、エンジン４の停止に伴って高温の排気ガスが供給されなくなるから、放熱によって冷えていく。触媒装置９が触媒の活性温度以下まで冷えてしまうと、車両１の運転を再開したときのエンジン４から排出される排気ガスの浄化性等が悪化する。問題となるのは、触媒装置９の輻射熱がエンジン４に伝わって、すなわち、触媒装置９がエンジン４に熱を奪われてその冷却が進んでしまうことである。
【００４２】
これに対して、上記実施形態の排気構造によれば、上流側触媒１１からエンジン４に向かう輻射熱は上部インシュレータ３１によって遮られる。すなわち、その輻射熱がエンジン４に奪われず、上流側触媒１１と上部インシュレータ３１の間に滞留するから、上流側触媒１１の冷却が進むことが抑えられる。
【００４３】
同じく、下流側触媒１２からエンジン４に向かう輻射熱は下部インシュレータ３２によって遮られる。すなわち、その輻射熱がエンジン４に奪われず、下流側触媒１２と下部インシュレータ３２の間に滞留するから、下流側触媒１２の冷却が進むことが抑えられる。特に、下部インシュレータ３２の前端部にはエンジン４側から下流側触媒１２の前端面側に逸れ曲がった曲り部３２ａが設けられているから、下流側触媒１２からエンジン４側に熱が逃げることがさらに抑制され、下流側触媒１２の温度保持に有利になる。
【００４４】
また、下流側触媒１２で加熱された熱気が下部インシュレータ３２に沿って上昇し、さらに、上流側触媒１１によって加熱された熱気と共に上部インシュレータ３１に沿って上昇する。これに対して、上部インシュレータ３１には上流側触媒１１を上から覆うカバー３３が設けられているから、その熱気はカバー３３の下に滞留して放散が抑えられる。よって、上流側触媒１１及び下流側触媒１２の温度保持に有利になる。
【００４５】
加えて、板状ブラケット３４がエンジン４と上流側触媒１１の隙間を車両前側から塞ぐ形で配置されている。従って、この隙間から車両前方に熱が逃げることが板状ブラケット３４によって抑制されるため、上流側触媒１１及び下流側触媒１２の温度保持に有利になる。
【００４６】
さらに、上流側触媒１１のまわりから車両後方に熱が逃げることが後部上側インシュレータ３５及び後部下側インシュレータ３６によって抑制されるから、上流側触媒１１及び下流側触媒１２の温度保持に有利になる。
【００４７】
よって、車両１の運転、すなわち、エンジン４の運転を再開したときに上流側及び下流側の触媒１１，１２による排気ガスの処理効率の低下が抑えられ、或いは触媒１１，１２を早期に活性化させて、排気ガスを処理することができる。
【００４８】
なお、上記実施形態のエンジン４は縦置きであるが、気筒列方向を車両１の幅方向に配置する横置きエンジンであっても、上記インシュレータないしはブラケットの配置構造を採用することで、上記車両停車中の触媒装置９の保温を図ることができる。
【００４９】
また、上記実施形態の下部インシュレータ３２は、触媒１２に沿って延びる縦壁部と曲り部３２ａが一体になっているが、縦壁部と曲り部は別体になっていてもよい。
【００５０】
また、上部インシュレータ３１を設けることは必須ではないが、これを設けるケースにおいては、上部インシュレータ３１とカバー３３は別体にしてもよい。
【符号の説明】
【００５１】
１  車両
２  エンジンルーム
４  エンジン
６  トランスミッション
７  アンダーカバー
８  走行風導入口
９  触媒装置
１１  上流側触媒
１２  下流側触媒
３１  上部インシュレータ
３２  下部インシュレータ
３２ａ  曲り部
３３  カバー
３４  板状ブラケット
３５  後部上側インシュレータ
３６  後部下側インシュレータ
【図１】
2020196371.tif 000003
【図２】
2020196371.tif 000004
【図３】
2020196371.tif 000005
【図４】
2020196371.tif 000006
【図５】
2020196371.tif 000007
【図６】
2020196371.tif 000008